(57)【要約】  【課題】  バッテリ容量の低下による記憶メディアドライブへのデータの書き込みあるいは読み出し時のエラーを防止し得る記録再生装置を提供する。  【解決手段】  ＨＤＤ２５を記録または読み出しのために起動し、ＨＤＤ２５起動直後のシーク動作中にバッテリの容量チェックを行い、バッテリチェックの結果が所定の判定電圧よりも低い場合にはＨＤＤ２５へのデータの記録および／または読み出しを禁止し、ＨＤＤ２５へのデータ記録動作が禁止された場合には、該ＨＤＤ２５へ記録するためのデータをＨＤＤ２５よりも低電圧で動作可能な不揮発性メモリ２２に一時的に待避させ、バッテリ容量チェックのときに判定電圧よりも高い場合であって、不揮発性メモリ２２内に待避されたデータがある場合には、その待避されたデータをＨＤＤ２５に記録するようにシステム制御部２０が制御する記録再生装置。【選択図】図２
2006221755.tif 000002
【特許請求の範囲】
【請求項１】
記憶メディアドライブを起動する起動手段と、
上記記憶メディアドライブ起動直後のシーク動作中にバッテリの容量チェックを行うバッテリチェック手段と、
上記バッテリチェックの結果に基づいて上記記憶メディアドライブへのデータ記録動作および／または該記憶メディアドライブからのデータ読み出し動作を禁止する禁止手段と、
を具備したことを特徴とする記録再生装置。
【請求項２】
上記バッテリチェック手段は、上記記憶メディアドライブへのデータ記録動作および／または該記憶メディアドライブからのデータ読み出し動作が可能であるか否かを検出するものであることを特徴とする請求項１に記載の記録再生装置。
【請求項３】
上記起動手段における上記記憶メディアドライブの起動は、該記憶メディアドライブにデータ記録を行うための起動および／または該記憶メディアドライブからのデータ読み出し動作を行うための起動であることを特徴とする請求項２に記載の記録再生装置。
【請求項４】
上記起動手段は、ユーザ操作に基づき上記記憶メディアドライブを起動するものであることを特徴とする請求項３に記載の記録再生装置。
【請求項５】
上記起動手段は、ユーザによる画像の撮像操作、または音声の録音操作の後に上記記憶メディアドライブの起動を行うものであることを特徴とする請求項４に記載の記録再生装置。
【請求項６】
上記禁止手段により上記記憶メディアドライブへのデータ記録動作が禁止された場合には、該記憶メディアドライブへ記録するためのデータを所定の記録媒体に一時的に待避することを特徴とする請求項１に記載の記録再生装置。
【請求項７】
上記所定の記録媒体は、不揮発性のメモリであることを特徴とする請求項６に記載の記録再生装置。
【請求項８】
上記バッテリチェック手段によるバッテリ容量チェックのときに上記記憶メディアドライブへの記録動作が可能であると判定された場合に、上記所定の記録媒体内に待避されたデータがあった場合には、上記待避されたデータを上記記憶メディアドライブに記録することを特徴とする請求項６に記載の記録再生装置。
【請求項９】
上記記憶メディアドライブは、ハードディスクドライブであることを特徴とする請求項１に記載の記録再生装置。
【発明の詳細な説明】
【技術分野】
【０００１】
本発明は、音声信号または画像信号を記憶して再生し得る記録再生装置に関する。
【背景技術】
【０００２】
フラッシュメモリを書換え可能な記録媒体として用いて、音声の記録や再生を行うようにした携帯型の音声記録再生装置（以下、ＩＣレコーダと称す）は、周知のように、１９９０年代後半から本格的に実用化されている。このＩＣレコーダは、音声記録時には、マイクロフォンから取得したアナログの音声信号をデジタルデータに変換した後に、フラッシュメモリに記憶するものである。また、該ＩＣレコーダは、音声再生時には、このフラッシュメモリに記録された音声データを読み出して、アナログの音声信号に変換し、スピーカ等により再生するものとなっている。
【０００３】
さらに、２００２年には、録音機能に加えて撮像機能も備えた撮像機能付きＩＣレコーダが製品化されており、録音しながら同時に画像も記録することができるようになっている。
【０００４】
これらのＩＣレコーダは、所定の操作スイッチを操作することにより、録音、再生、早送り、および早戻しなどの各動作モードを選択的に機能させることができるように構成されているのが一般的である。例えば、操作スイッチとしての録音スイッチを押圧操作することにより、録音動作が行われるようになっている。そして、この録音動作時には、デジタル信号に変換された音声データがフラッシュメモリに予め設けられた音声データ領域に記憶されるとともに、該音声データに関するインデックス情報（音声データのアドレス、録音日時等）が該フラッシュメモリに予め設けられたインデックス情報領域に記憶されるようになっている。
【０００５】
このとき、フラッシュメモリに記憶される音声データには、ファイルナンバーとフォルダ記号とが割り当てられるようになっており、その後のファイル検索や再生を容易にしている。また、上記フォルダは、録音を行う毎に増え続けるファイルを効率良く区分管理するために、例えばＡフォルダ、Ｂフォルダ、およびＣフォルダ、といったように、通常は複数個設けられている。そして、選択中のフォルダがどのフォルダであるかを操作者が容易に認識することができるように、ＩＣレコーダの本体に設けられているＬＣＤなどの表示装置に当該フォルダマークをポップ表示するように工夫されている。
【０００６】
ところで、近年では、上述したようなフラッシュメモリよりも長時間録音（長時間録画）を可能とする大容量の記憶媒体として、小径インチのＨＤＤ（Hard Disk Drive）が実用化され、携帯型音楽プレーヤなどの各種機器に搭載されている。
【特許文献１】特開２００２−３５２４２４号公報
【発明の開示】
【発明が解決しようとする課題】
【０００７】
しかし、上述したような（撮像機能付き）ＩＣレコーダの多くは、バッテリ容量を犠牲にしてでも小型軽量すなわちその意匠性を優先する傾向が強く、その結果、複数のシーケンスが同時に実行されるような過負荷時にバッテリ電圧が急降下して、記録媒体へのアクセス不能が起き易くなっている。
【０００８】
例えば、ＣＤ−ＲＷ、ＤＶＤ−ＲＷのような光学式ディスク記録媒体、およびＨＤＤのような磁気式ディスク記録媒体は、書き込みまたは読み出し制御時の電源の瞬断に対して非常に脆弱である。特に、書き込み時の定格範囲を超えるような電源電圧の変動は、ディスク記録媒体そのものを物理的にクラッシュ（書き込み続行不能）させる可能性がある。
【０００９】
そこで、上記特開２００２−３５２４２４号公報には、記録再開に必要な情報（中断地点のディスク上のアドレス、エンコード途上のデータ等）を不揮発性メモリまたは転送元のＰＣ上のＨＤＤに待避させることが記載されている。
【００１０】
しかしながら、上記公報に記載されたような技術は、バッテリチェックをディスク記録媒体への書き込み動作中に行うものであるために、急激なバッテリ容量の低下には追従できないおそれがある。
【００１１】
すなわち、バッテリ容量の低下を検出した後の待機移行処理（書き込み動作中断時の位置情報保持や低消費電力状態への遷移など）が間に合わず、その結果、電原状態が回復した後の書き込み動作を正常に再開することができない可能性がある。
【００１２】
このように、動作中のバッテリチェックだけでは、バックアップシーケンスが十分に機能せず、上述したように、比較的低容量の２次電池を搭載することが多い小型のポータブルセットは、例えば撮影等の重負荷のシーケンスの直後に書き込みエラーが頻発し易くなってしまう。
【００１３】
本発明は上記事情に鑑みてなされたものであり、バッテリ容量の低下による記憶メディアドライブへのデータの書き込みあるいは読み出し時のエラーを防止し得る記録再生装置を提供することを目的としている。
【課題を解決するための手段】
【００１４】
上記の目的を達成するために、第１の発明による記録再生装置は、記憶メディアドライブを起動する起動手段と、上記記憶メディアドライブ起動直後のシーク動作中にバッテリの容量チェックを行うバッテリチェック手段と、上記バッテリチェックの結果に基づいて上記記憶メディアドライブへのデータ記録動作および／または該記憶メディアドライブからのデータ読み出し動作を禁止する禁止手段と、を具備したものである。
【００１５】
また、第２の発明による記録再生装置は、上記第１の発明による記録再生装置において、上記バッテリチェック手段が、上記記憶メディアドライブへのデータ記録動作および／または該記憶メディアドライブからのデータ読み出し動作が可能であるか否かを検出するものである。
【００１６】
さらに、第３の発明による記録再生装置は、上記第２の発明による記録再生装置において、上記起動手段における上記記憶メディアドライブの起動が、該記憶メディアドライブにデータ記録を行うための起動および／または該記憶メディアドライブからのデータ読み出し動作を行うための起動である。
【００１７】
第４の発明による記録再生装置は、上記第３の発明による記録再生装置において、上記起動手段が、ユーザ操作に基づき上記記憶メディアドライブを起動するものである。
【００１８】
第５の発明による記録再生装置は、上記第４の発明による記録再生装置において、上記起動手段が、ユーザによる画像の撮像操作、または音声の録音操作の後に上記記憶メディアドライブの起動を行うものである。
【００１９】
第６の発明による記録再生装置は、上記第１の発明による記録再生装置において、上記禁止手段により上記記憶メディアドライブへのデータ記録動作が禁止された場合には、該記憶メディアドライブへ記録するためのデータを所定の記録媒体に一時的に待避する。
【００２０】
第７の発明による記録再生装置は、上記第６の発明による記録再生装置において、上記所定の記録媒体が、不揮発性のメモリである。
【００２１】
第８の発明による記録再生装置は、上記第６の発明による記録再生装置において、上記バッテリチェック手段によるバッテリ容量チェックのときに上記記憶メディアドライブへの記録動作が可能であると判定された場合に、上記所定の記録媒体内に待避されたデータがあった場合には、上記待避されたデータを上記記憶メディアドライブに記録する。
【００２２】
第９の発明による記録再生装置は、上記第１の発明による記録再生装置において、上記記憶メディアドライブが、ハードディスクドライブである。
【発明の効果】
【００２３】
本発明の記録再生装置によれば、バッテリ容量の低下による記憶メディアドライブへのデータの書き込みあるいは読み出し時のエラーを防止することが可能となる。
【発明を実施するための最良の形態】
【００２４】
以下、図面を参照して本発明の実施形態を説明する。
【００２５】
［実施形態１］
図１から図１３は本発明の記録再生装置としての実施形態１を示したものであり、図１は音声記録再生装置の構成の概略を示すブロック図である。
【００２６】
この音声記録再生装置は、図１に示すように、音声信号および画像信号を所定のフォーマット形式の音声データおよび画像データに符号化する符号化手段１と、複数の操作スイッチが設けられているスイッチ操作部９と、このスイッチ操作部９における操作スイッチの入力状態に応じて所定のシーケンスを実行する制御手段６と、上記スイッチ操作部９の特定のスイッチが操作された場合に、映像信号（画像信号）を上記符号化手段１に入力する第１選択手段５と、上記音声データ、および該音声データに関連付けられた画像データを記憶する記憶手段２と、再生時に上記記憶手段２から読み出した上記音声データおよび画像データを、所定の復号化フォーマットに従って音声信号および画像信号に復号化する復号化手段３と、上記復号化された音声信号を音声として再生する音声再生部４と、上記復号化された画像信号を画像として再生する画像再生部８と、上記音声信号に関連付けられた画像信号のみを選択的に上記画像再生部８へ出力する第２選択手段７と、を有して構成されている。
【００２７】
また、上記スイッチ操作部９の特定のスイッチは、第１レリーズスイッチと第２レリーズスイッチとの二段押しスイッチとして構成されたものであり、レリーズ釦の一段目の押下操作により上記第１レリーズスイッチが閉成され、撮像部（図２に示す、より具体的な例におけるＣＣＤ１１および画像入力部１２参照）において撮影動作が開始されて、上記画像信号の生成が行われるようになっている。そして、その後のレリーズ釦の二段目の押下操作により上記第２レリーズスイッチが閉成され、画像信号の記録が行われるようになっている。
【００２８】
図２は、音声記録再生装置の構成を示すブロックである。
【００２９】
この音声記録再生装置は、音声を電気信号に変換するマイクロフォン（ＭＩＣ）１５と、光学的な被写体像を電気的な画像信号に変換する例えばＣＣＤあるいはＣＭＯＳ等でなる撮像素子１１と、を備えている。
【００３０】
上記マイクロフォン１５からの音声出力は、音声入力部１６に入力されるようになっている。この音声入力部１６は、図示しないマイクアンプと、ローパスフィルタと、Ａ／Ｄ変換器と、を有して構成された符号化手段である。そして、上記マイクロフォン１５からのアナログの音声信号がこの音声入力部１６に入力されると、マイクアンプにより増幅し、ローパスフィルタにより不要な周波数帯域をカットした後に、Ａ／Ｄ変換器によりデジタル信号に変換するようになっている。
【００３１】
同様に、撮像素子１１からの画像出力は、画像入力部１２に入力されるようになっている。この画像入力部１２は、図示しないアイリス制御回路、ゲイン制御回路、ホワイトバランス制御回路等の各制御回路と、Ａ／Ｄ変換器と、を有して構成された符号化手段である。上記アイリス制御回路は、撮像レンズ３７（図１２参照）内に設けられた図示しない絞りを制御するものである。そして、絞りを制御された状態の撮像レンズ３７により撮像素子１１上に結像された被写体像は、撮像素子１１により光電変換されてアナログの画像信号として出力される。画像入力部１２は、アナログの画像信号が入力されると、ゲイン制御回路により増幅した後に、ホワイトバランス制御回路によりホワイトバランス処理を行う。その後、画像入力部１２は、上記Ａ／Ｄ変換器により、デジタル信号への変換を行う。
【００３２】
音声入力部１６から出力される音声のデジタル信号と、画像入力部１２から出力される画像のデジタル信号とは、符号化手段と復号化手段とを兼ねるデジタル信号処理部（ＤＳＰ）２４に入力される。このデジタル信号処理部２４は、記録時（録音時および録画時）には、システム制御部２０に制御されて、上記各デジタル信号をフレーム単位で所定の符号化フォーマットの音声データおよび画像データに符号化（圧縮）する。符号化された各データは、システム制御部２０に設けられている図示しないバッファメモリに一時的に記憶される。
【００３３】
一方、デジタル信号処理部２４は、再生時には、システム制御部２０に制御されて、システム制御部２０の上記バッファメモリから音声データおよび画像データをフレーム単位で復号化（伸長）する処理を行う。
【００３４】
このデジタル信号処理部２４により復号化された音声のデジタル信号は、音声再生部１７に入力されるようになっている。この音声再生部１７は、図示しないＤ／Ａ変換器と、ローパスフィルタと、パワーアンプと、を有して構成された復号化手段である。そして、上記デジタル信号処理部２４からのデジタルの音声信号がこの音声再生部１７に入力されると、Ｄ／Ａ変換器によりアナログ信号に変換し、ローパスフィルタにより不要な周波数帯域をカットした後に、パワーアンプにより増幅するようになっている。こうして増幅された音声信号が音声再生部たるスピーカ（ＳＰ）１８に入力されると、音声として発音される。
【００３５】
同様に、デジタル信号処理部２４により復号化された画像のデジタル信号は、画像再生部１３に入力されるようになっている。この画像再生部１３は、図示しないビデオ制御回路とＤ／Ａ変換器とを有して構成された復号化手段である。そして、上記デジタル信号処理部２４からのデジタルの画像信号がこの画像再生部１３に入力されると、ビデオ制御回路により信号処理を行った後に、Ｄ／Ａ変換器によりアナログ信号に変換される。こうして変換されたアナログの画像信号は、例えばＴＦＴ−ＬＣＤ等により構成される画像再生部たる画像表示部１４に、画像として表示される。
【００３６】
上記システム制御部２０は、例えばＣＰＵを含んで構成された第１選択手段および第２選択手段を兼ねる制御手段であり、上述したようにデジタル信号処理部２４が接続されているとともに、さらに、揮発性メモリ２３と、不揮発性メモリ２２と、操作部２１と、表示部１９と、ＨＤＤ２５と、が接続されている。また、上記システム制御部２０は、記憶メディアドライブたるＨＤＤ２５を起動する起動手段としての機能と、ＨＤＤ２５起動直後のシーク動作中にバッテリの容量チェックを行うバッテリチェック手段としての機能と、バッテリチェックの結果に基づいてＨＤＤ２５へのデータ記録動作および／またはＨＤＤ２５からのデータ読み出し動作を禁止する禁止手段としての機能と、を後述するように備えている。
【００３７】
不揮発性メモリ２２は、例えばフラッシュメモリ等を用いて構成された記憶手段たる所定の記録媒体であり、主に、システム制御部２０の各種シーケンスコード（ファームウェア）を記憶するものとして使用されている。また、この不揮発性メモリ２２内には、空き領域が意図的に設けられている。この空き領域は、種々の用途に用いることが可能であるが、後述する画像取得処理における画像データを一時的に記憶しておくための一時待避用メモリとしても機能するようになっている。なお、この不揮発性メモリ２２は、ＨＤＤ２５よりも低電圧、あるいはバッテリ容量が低下したときでも動作可能である。
【００３８】
ＨＤＤ（ハードディスクドライブ）２５は、上記デジタル信号処理部２４により符号化された音声データと符号化された画像データとを記憶しておく記憶メディアとしてのハードディスクを内包する記憶メディアドライブである。ＨＤＤ２５は、システム制御部２０の制御に基づいて、音声データおよび画像データの記録時には、それに関するインデックス情報も記憶するようになっている。
【００３９】
揮発性メモリ２３は、例えばＳＤＲＡＭ等を用いて構成された記憶手段であり、主に、上記システム制御部２０の図示しないバッファメモリの不足分を補う外部拡張メモリとして機能するようになっている。
【００４０】
操作部２１は、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）、ホールドスイッチ（ＨＯＬＤ）等の各種スイッチが機能別に配設されたスイッチ操作部である。
【００４１】
表示部１９は、上記操作部２１の何れかのスイッチが操作されることにより所定のシーケンスが開始されたときに、その動作モードやシーケンス開始後の動作状況などを表示するものである。具体的には、表示部１９は、録音スイッチ（ＲＥＣ）が押された場合には、録音の経過時間、録音可能な残り時間、およびファイルナンバー等を表示する。また、表示部１９は、メニュースイッチ（ＭＥＮＵ）が押された場合には、マイク感度（高／低）、録音モード（標準／ロング）、およびアラーム（オン／オフ）等の機能選択に関連した表示を行う。さらに、表示部１９は、上記システム制御部２０が時計機能を有しているときには、現在日時の表示も行うようになっている。なお、ここではこれらの情報を表示部１９に表示するようにしているが、これに代えて、上記画像表示部１４に表示するようにしても構わない。
【００４２】
次に、本実施形態の音声記録再生装置の動作を図３を参照しながら説明する。図３は、音声記録再生装置のメイン動作を示すフローチャートである。
【００４３】
この音声記録再生装置がパワーオンされると、システム制御部２０は、所定の初期設定（ステップＳ１）を実行するとともに、タイマをスタートする（ステップＳ２）。このタイマは、何らの操作が行われることなく所定時間が経過した後に（後述するステップＳ１１参照）、この音声記録再生装置が通常の動作モードから待機モード（低消費電流モード）（後述するステップＳ２１参照）に入るための時間を計時するものである。
【００４４】
そして、音声記録再生装置の動作モードに入ると、ステップＳ３〜Ｓ１０に示すスイッチ検出動作により、録音スイッチ（ＲＥＣ  ＳＷ）、再生スイッチ（ＰＬＡＹ  ＳＷ）早送りスイッチ（ＦＦ  ＳＷ）、早戻しスイッチ（ＲＥＷ  ＳＷ）、停止スイッチ（ＳＴＯＰ  ＳＷ）、メニュースイッチ（ＭＥＮＵ  ＳＷ）、消去スイッチ（ＥＲＡＳＥ  ＳＷ）、カメラスイッチ（ＣＡＭＥＲＡ  ＳＷ）の順に、オンしたスイッチがあるか否かを検出する。
【００４５】
すなわち、まず録音スイッチがオンされたか否かを検出し（ステップＳ３）、オンされている場合には、録音処理のサブルーチンを実行する（ステップＳ１２）。
【００４６】
次に、再生スイッチがオンされたか否かを検出し（ステップＳ４）、オンされている場合には、再生処理のサブルーチンを実行する（ステップＳ１３）。
【００４７】
続いて、早送りスイッチがオンされたか否かを検出し（ステップＳ５）、オンされている場合には、早送り処理のサブルーチンを実行する（ステップＳ１４）。
【００４８】
さらに、早戻しスイッチがオンされたか否かを検出し（ステップＳ６）、オンされている場合には、早戻し処理のサブルーチンを実行する（ステップＳ１５）。
【００４９】
そして、停止スイッチがオンされたか否かを検出し（ステップＳ７）、オンされている場合には、停止処理のサブルーチンを実行する（ステップＳ１６）。
【００５０】
その後、メニュースイッチがオンされたか否かを検出し（ステップＳ８）、オンされている場合には、メニュー変更処理のサブルーチンを実行する（ステップＳ１７）。
【００５１】
次に、消去スイッチがオンされたか否かを検出し（ステップＳ９）、オンされている場合には、消去処理のサブルーチンを実行する（ステップＳ１８）。
【００５２】
さらに、カメラスイッチがオンされたか否かを検出し（ステップＳ１０）、オンされている場合には、レリーズ処理のサブルーチンを実行する（ステップＳ１９）。
【００５３】
そして、上記ステップＳ１２，Ｓ１３，Ｓ１４，Ｓ１５，Ｓ１６，Ｓ１７，Ｓ１８，またはＳ１９の何れかのサブルーチンを実行した後は、上記タイマを再スタートさせてから（ステップＳ２０）、上記ステップＳ３〜Ｓ１０のスイッチ検出動作に係るメインループに戻る。
【００５４】
なお、上述した各サブルーチンの内の、早送り処理、早戻し処理、停止処理、メニュー変更処理、消去処理、およびレリーズ処理は、周知の技術手段を用いて実施しており、かつ、本発明の内容に直接関係しないために、詳細な説明は省略する。
【００５５】
また、上記ステップＳ３〜Ｓ１０のスイッチ検出動作において、全てのスイッチがオフしている場合には、上記タイマの計時時間が所定時間をオーバーしたか否かを判定する（ステップＳ１１）。ここで所定時間をオーバーしていない場合には、上記ステップＳ３へ戻って、所定時間に達するまでは上述したようなスイッチ検出動作を行う。
【００５６】
一方、ステップＳ１１において、所定時間をオーバーしたと判定された場合には、待機モードのサブルーチンに入る（ステップＳ２１）。この待機モードは、音声記録再生装置を低消費電流動作にするモードである。
【００５７】
より具体的には、図２に示す音声入力部１６、画像入力部１２、音声再生部１７、画像再生部１３、画像表示部１４、デジタル信号処理部２４、表示部１９、揮発性メモリ２３、不揮発性メモリ２２、およびＨＤＤ２５の電源を遮断するか、または、各ブロックを構成する図示しないＩＣに設けられているチップイネーブル端子に、システム制御部２０から非選択信号を出力することにより、低消費電流状態にする。このとき、システム制御部２０のＣＰＵは、自らも動作クロックを最も消費電流の少ない低速クロックに切り換えて低消費電流状態になる。場合によっては、動作クロックをメインクロック（例えば、２７．０００ＭＨｚ）からサブクロック（例えば、３２．７６８ｋＨｚ）に切り換えて、その後にスイッチ入力が検出されるまで、メインクロックを完全に停止させるようにしても良い。
【００５８】
次に、図５は、図３のステップＳ１２における録音処理を示すフローチャートである。この録音処理について、図２および図４を参照しながら説明する。
【００５９】
この録音処理が開始されると、まず、ＨＤＤ２５へのアクセスを行い（ステップＳ３１）、バッテリチェックおよび各種情報取得等のシーケンスを実行する。なお、これらシーケンスの詳細は後述する。
【００６０】
続いて、レリーズフラグが「１」（ここに、「１」はフラグがセットされていることを示し、「０」はフラグがセットされていない（リセットされている）ことを示している）であるか否かを判定し（ステップＳ３２）、レリーズフラグが「１」でない場合には１ｓｔレリーズスイッチがオンしたか否かを判定する（ステップＳ３３）。
【００６１】
ここで、１ｓｔレリーズスイッチがオンしている場合には、撮像素子１１の通電を開始して（ステップＳ３４）、レリーズフラグをセットする（ステップＳ３５）。
【００６２】
一方、ステップＳ３２において、レリーズフラグが「１」であると判定された場合には、その後に、１ｓｔレリーズスイッチがオフになったか否かを判定する（ステップＳ３６）。ここで、１ｓｔレリーズスイッチがオフになっている場合には、レリーズフラグをリセットする（ステップＳ３７）。
【００６３】
また、ステップＳ３６において１ｓｔレリーズスイッチがオンのままであると判定された場合には、次に、２ｎｄレリーズスイッチがオンになっているか否かを判定する（ステップＳ３８）。ここで、２ｎｄレリーズスイッチがオンになっていると判定された場合には、画像取得フラグをセットする（ステップＳ３９）。
【００６４】
そして、画像取得処理を行う（ステップＳ４０）。この画像取得処理においては、画像取得フラグがセットされているときにのみ撮像素子１１による画像の取得を行い、画像取得フラグがセットされていない場合には、画像を取得することなく次のステップに進むようになっている。
【００６５】
そして、デジタル信号処理部２４により音声信号の符号化をフレーム単位で行う（ステップＳ４１）。この符号化された音声データは、上述したように、システム制御部２０の図示しないバッファメモリに記憶されるようになっている。
【００６６】
ここに、上記ステップＳ４０における画像信号の符号化処理と、ステップＳ４１における音声信号の符号化処理とは、デジタル信号処理部２４によって（つまり、１つのＤＳＰによって）、同時に進行されるようになっている。
【００６７】
その後、音声データが所定フレーム数になったか否かを判定し（ステップＳ４２）、所定フレーム数に満たない場合には、ステップＳ４１の処理を継続して行う。
【００６８】
ここに、所定フレーム数は、符号化前後のフレーム当たりの情報量や、ＨＤＤ２５における記憶単位（具体的には、セクタやクラスタなど）の情報量に応じて予め定められるようになっている。例えば、１０ビット／フレームの音声信号を４ビット／フレームまで符号化した音声データを上記ＨＤＤ２５へ５１２バイト単位で書き込む場合には、所定フレーム数は１０２４になる。
【００６９】
こうして、ステップＳ４２において、音声データが所定フレーム数になったと判定された場合には、システム制御部２０は、音声データをバッファメモリからＨＤＤ２５へ転送して、ＨＤＤ２５の音声データ領域へ、音声データ領域開始アドレスで指定される領域から、アドレス順に書き込んで記憶させる（ステップＳ４３）。
【００７０】
ここで、図４は、ＨＤＤ２５に設けられた音声データ領域とインデックス情報領域との構成を示す図である。
【００７１】
図４に示すように、音声データ領域には、例えば先頭アドレスから順に、音声データ領域Ａ，音声データ領域Ｂ，…などが作成され、音声データが記憶されるようになっている。
【００７２】
また、インデックス情報領域には、音声データ領域Ａ，音声データ領域Ｂ，…に対応する開始アドレスが、音声データ領域Ａの先頭アドレス，音声データ領域Ｂの先頭アドレス，…などとして記憶される。従って、音声データ領域Ｃ，音声データ領域Ｄ，などの音声データ領域が新たに確保される毎に、各音声データ領域の先頭アドレスがインデックス情報領域に記憶される。
【００７３】
さらに、画像データは、音声データ領域の最後のアドレスから順に遡って記憶されるようになっている。すなわち、図４に示す例では、まず画像データ領域Ｒ、次に画像データ領域Ｑ、さらに画像データ領域Ｐ、がこの順に作成され、各領域に画像データが記憶されるようになっている。さらに追加して新たな画像データ領域が作成されるときも同様である。
【００７４】
そして、画像データについても音声データと同様に、インデックス情報領域に、各画像データ領域の先頭アドレスが記憶される。すなわち、図４に示す例では、画像データ領域Ｐ，画像データ領域Ｑ，画像データ領域Ｒ，…に対応する開始アドレスが、画像データ領域Ｐの先頭アドレス，画像データ領域Ｑの先頭アドレス，画像データ領域Ｒの先頭アドレス，…などとして、インデックス情報領域に記憶される。従って、画像データ領域Ｏ，画像データ領域Ｎ，などの画像データ領域が新たに確保される毎に、各画像データ領域の先頭アドレスがインデックス情報領域に記憶される。このとき、インデックス情報領域においても、音声データ領域の場合と同様に、各画像データの先頭アドレスが、インデックス情報領域の最後のアドレスから順に遡って記憶される。
【００７５】
なお、録音中に撮影を行っても音切れが起こることのないように、このステップＳ４３におけるＨＤＤアクセスおよび後述するステップＳ６４（図６参照）におけるＨＤＤアクセスにおいては、音声データと画像データとが、所定フレーム数毎に、ＨＤＤ２５に交互に記憶されるようになっている。さらに、ＨＤＤ２５への書き込みが間に合わない場合は、音声データと画像データとを、揮発性メモリ２３に一時的に記憶するようにしても良い。
【００７６】
図５に示す録音処理の説明を続ける。
【００７７】
ステップＳ４３の処理が終了したら、上記画像取得フラグが「０」であるか否かを判定する（ステップＳ４４）。そして、セットされている場合には、上記ステップＳ４０へ戻って、上述したような処理を行う。
【００７８】
また、画像取得フラグがセットされていないと判定された場合には、画像取得終了フラグがセットされているか否かを判定する（ステップＳ４５）。
【００７９】
ここで、画像取得終了フラグがセットされていると判定された場合には、１ｓｔレリーズスイッチがオフされたか否かを検出する（ステップＳ４６）。ここで、オンのままである場合には、上記ステップＳ４０へ行って、上述したような処理を行う。
【００８０】
また、１ｓｔレリーズスイッチがオフされたことが検出された場合には、撮像素子１１の通電を停止して（ステップＳ４７）、画像取得終了フラグをリセットするとともに（ステップＳ４８）、レリーズフラグをリセットする（ステップＳ４９）。
【００８１】
このステップＳ４９の処理が終了するか、または上記ステップＳ４５において画像取得フラグがセットされていないと判定された場合には、停止スイッチがオンされたか否かを検出する（ステップＳ５０）。ここで、停止スイッチのオンが検出されない場合には、上記ステップＳ３２へ戻って上述したような処理を繰り返して行う。
【００８２】
また、停止スイッチのオンが検出された場合には、録音終了処理を実行して（ステップＳ５１）、この録音処理から上記図３に示したメイン動作へリターンする。
【００８３】
次に、図６に沿って、図２および図４も参照しながら、画像取得処理について説明する。図６は、図５に示したステップＳ４０の画像取得処理を示すフローチャートである。
【００８４】
この画像取得処理を開始すると、まず、画像取得フラグがセットされているか否かを検出する（ステップＳ６１）。ここで、セットされているときは、上述した音声データと同様に、デジタル信号処理部２４により画像信号の符号化をフレーム単位で行う（ステップＳ６２）。この符号化された画像データは、上述したように、システム制御部２０の図示しないバッファメモリに記憶されるようになっている。
【００８５】
その後、画像データが所定フレーム数になったか否かを判定し（ステップＳ６３）、所定フレーム数に満たない場合には、ステップＳ６２の処理を継続して行う。
【００８６】
こうして、ステップＳ６３において、画像データが所定フレーム数になったと判定された場合には、システム制御部２０は、画像データをバッファメモリからＨＤＤ２５へ転送して、ＨＤＤ２５の音声データ領域へ、画像データ領域開始アドレスで指定される領域から、上述したように書き込んで記憶させる（ステップＳ６４）。
【００８７】
そして、画像取得が終了したか否かを判定する（ステップＳ６５）。ここで、画像取得が終了したと判定された場合には、音声データ関連付けフラグをセットし（ステップＳ６６）、画像取得フラグをリセットし（ステップＳ６７）、画像取得終了フラグをセットする（ステップＳ６８）。なお、音声データ関連付けフラグについては、後述する画像再生処理において詳しく説明する。
【００８８】
このステップＳ６８の処理が終了するか、上記ステップＳ６１において画像取得フラグがセットされていないか、または上記ステップＳ６５において画像取得が終了していないと判定された場合には、この画像取得処理を抜けて、図５に示す録音処理へリターンする。
【００８９】
図７は、図３のステップＳ１３における再生処理を示すフローチャートである。この再生処理について、図２を参照しながら説明する。
【００９０】
この再生処理が開始されると、まず、ＨＤＤ２５へのアクセスを行い（ステップＳ７１）、バッテリチェックおよび各種情報取得等のシーケンスを実行する。
【００９１】
そして、画像再生処理のサブルーチンを実行した後に（ステップＳ７２）、上記ＨＤＤ２５に記憶している音声データを、上記音声データ領域開始アドレスから順に読み出し（ステップＳ７３）、デジタル信号処理部２４によりフレーム単位で復号化する（ステップＳ７４）。復号化された音声データは、システム制御部２０の図示しないバッファメモリに順次記憶されながら、音声信号として音声再生部１７に出力される。
【００９２】
その後、画像データが所定フレーム数になったか否かを判定し（ステップＳ７５）、所定フレーム数に満たない場合には、ステップＳ７３およびステップＳ７４の処理を継続して行う。
【００９３】
こうして復号化された音声データが所定フレーム数に達したことが確認されたら、画像表示中フラグがセットされているか否かを判定する（ステップＳ７６）。
【００９４】
ここで、画像表示中フラグがセットされている場合には、音声再生部１７およびスピーカ１８による音声の再生開始と同時に、画像再生部１３および画像表示部１４による画像表示が行われる。この画像表示を行う時間（表示時間）は、必要に応じて設定することも可能となっている。
【００９５】
上記表示時間は、上記ステップＳ７２の画像再生処理において計時を開始させた画像表示中タイマ（どのようにタイマを開始させたかについては、後述する）が、所定時間を計時してオーバフローしたか否か、により判定するようになっている（ステップＳ７７）。ここで、画像表示中タイマがオーバフローしていない場合には、上記ステップＳ７２〜Ｓ７６の処理を繰り返して行う。
【００９６】
一方、画像表示中タイマがオーバフローしている場合には、画像表示中フラグをリセットして（ステップＳ７８）、上記画像表示中タイマの計時を停止させ（ステップＳ７９）、通常の音声再生モード時の表示（録音時間、再生経過時間、録音モード（標準／ロング）、ファイルナンバー等の表示）を行う（ステップＳ８０）。
【００９７】
このステップＳ８０の処理が終了するか、または上記ステップＳ７６において画像表示中フラグがリセットされていると判定された場合には、停止スイッチがオンされたか否かを判断し（ステップＳ８１）、オンされていない場合には、ステップＳ７２〜Ｓ７６の処理（あるいは、ステップＳ７２〜Ｓ８０の処理）を繰り返して行う。
【００９８】
また、停止スイッチがオンされた場合には、再生終了処理を実行して（ステップＳ８２）、この再生処理を終了する。
【００９９】
図８は、図７のステップＳ７２における画像再生処理を示すフローチャートである。この画像再生処理について、図２を参照しながら説明する。
【０１００】
この画像再生処理が開始されると、まず、音声データ関連付けフラグがセットされているか否かを検出する（ステップＳ９１）。
【０１０１】
ここで、セットされている場合には、さらに、画像データ復号化終了フラグがセットされているか否かを判定する（ステップＳ９２）。
【０１０２】
ここで、セットされていない場合には、ＨＤＤ２５に記憶されている画像データを上記画像データ記憶領域開始アドレスから順に読み出して（ステップＳ９３）、デジタル信号処理部２４により上述した音声データと同様にフレーム単位で復号化する（ステップＳ９４）。復号化された画像データは、システム制御部２０の図示しないバッファメモリに順次記憶されながら、画像信号として画像再生部１３へ出力される。
【０１０３】
その後、画像データが所定フレーム数になったか否かを判定し（ステップＳ９５）、所定フレーム数に満たない場合には、ステップＳ９３およびステップＳ９４の処理を継続して行う。
【０１０４】
一方、画像データが所定フレーム数になったと判定された場合には、画像データの復号化が終了したか否かを判定し（ステップＳ９６）、終了するまでは、上記図７に示したループにより、ステップＳ９１〜Ｓ９５の処理を繰り返して行う。
【０１０５】
こうして、ステップＳ９６において、画像データの復号化が終了したと判定された場合には、直ちに画像データ復号化終了フラグをセットし（ステップＳ９７）、画像表示中フラグをセットし（ステップＳ９８）、画像表示中タイマの計時を開始させて（ステップＳ９９）、この画像再生処理を終了する。
【０１０６】
また、上記ステップＳ９１において、音声データ関連付けフラグがセットされていない場合、上記ステップＳ９２において、画像データ復号化終了フラグがセットされている場合、上記ステップＳ９６において、画像データの復号化が終了していないと判定された場合には、この画像再生処理を抜けて、上記図７に示した処理に復帰する。
【０１０７】
図９は、ＨＤＤアクセス処理を示すフローチャートである。このＨＤＤアクセス処理について、図２を参照しながら説明する。
【０１０８】
このＨＤＤアクセス処理は、図５のステップＳ３１およびステップＳ４３、図６のステップＳ６４、図７のステップＳ７１およびステップＳ７３、図８のステップＳ９３等において行われる録音操作あるいは再生操作等のユーザ操作に基づいて実行される処理である。
【０１０９】
このＨＤＤアクセス処理が開始されると、まず、システム制御部２０によってＨＤＤ２５が起動され、シーク動作が開始される。なお、ここでいうシーク動作とは、記憶メディア、すなわちハードディスク上の目的のトラックにヘッドを移動するための動作のことである。そして、システム制御部２０の図示しないＡ／Ｄ変換器により電池電圧を検出して、検出した電池電圧を予め定められた所定の判定基準と比較することにより、ＨＤＤアクセスが可能であるか否かを判定し、判定結果をＮＧフラグに設定する（バッテリチェック処理）（ステップＳ１０１）。ここに、電池電圧が所定の判定基準よりも低い場合には、システム制御部２０がＮＧフラグをセットするようになっている。なお、このバッテリチェック処理については、後で説明する。
【０１１０】
そして、ＮＧフラグがセットされているか否かを判定する（ステップＳ１０２）。
【０１１１】
ここで、ＮＧフラグがセットされているときは、画像取得処理中であるか否かを判定する（ステップＳ１０３）。
【０１１２】
ここで、画像取得処理中であると判定された場合には、該画像データは、電池電圧が低下しているために、ＨＤＤ２５に書き込むことができない。従って、画像取得処理中の画像データは、ＨＤＤ２５よりも低電圧で動作可能な不揮発性メモリ２２の所定の画像データ領域に書き込まれる（ステップＳ１０５）。
【０１１３】
そして、画像取得終了フラグがセットされたか否かに応じて、上記書き込み動作が終了したか否かを判定する（ステップＳ１０６）。
【０１１４】
ここで、画像取得終了フラグがセットされている場合には、画像データがＨＤＤ２５に代えて不揮発性メモリ２２に記憶されている旨を示す画像データ一時待避フラグをセットする（ステップＳ１０７）。
【０１１５】
このステップＳ１０７の処理が終了するか、または上記ステップＳ１０３において画像取得処理中でないと判定された場合には、バッテリチェックＮＧ処理を実行する（ステップＳ１０４）。このバッテリチェックＮＧ処理を行うと、その後は、早送り処理、早戻し処理、停止処理、メニュー変更処理、消去処理、レリーズ処理などのＨＤＤアクセスを伴う処理が禁止される。すなわち、充電等によって電池電圧が回復するまでの間は、例えば図３のステップＳ２１に示したような待機モードに入って、低消費電流動作を行う。
【０１１６】
一方、上記ステップＳ１０２において、ＮＧフラグがセットされていない（リセットされている）と判定された場合には、通常の録音、再生、画像取得、または画像再生に関わる何れかの処理を実行する。
【０１１７】
すなわち、まず、録音処理が開始された直後であるか否かを判定し（ステップＳ１０８）、録音処理が開始された直後である場合には、録音開始時の各種情報をインデックス情報領域に記憶する（ステップＳ１０９）。
【０１１８】
ステップＳ１０８において、録音処理が開始された直後でない場合には、再生処理が開始された直後であるか否かを判定し（ステップＳ１１０）、再生処理が開始された直後である場合には、再生開始時の各種情報をインデックス情報領域から読み出す（ステップＳ１１１）。
【０１１９】
ステップＳ１１０において、再生処理が開始された直後でない場合には、録音処理中であるか否かを判定し（ステップＳ１１２）、録音処理中である場合には、録音時の音声データを所定の音声データ領域に書き込む（ステップＳ１１３）。
【０１２０】
ステップＳ１１２において、録音処理中でない場合には、再生処理中であるか否かを判定し（ステップＳ１１４）、再生処理中である場合には、再生時の音声データを所定の音声データ領域から読み出す（ステップＳ１１５）。
【０１２１】
ステップＳ１１４において、再生処理中でない場合には、画像取得処理中であるか否かを判定し（ステップＳ１１６）、画像取得処理中である場合には、画像データを所定の画像データ領域に書き込む（ステップＳ１１７）。
【０１２２】
ステップＳ１１６において、画像取得処理中でない場合には、画像再生処理中であるか否かを判定し（ステップＳ１１８）、画像再生処理中である場合には、画像データを所定の画像データ領域から読み出す（ステップＳ１１９）。
【０１２３】
ステップＳ１１８において、画像再生処理中でない場合、ステップＳ１１９の処理が終了した場合、ステップＳ１０６において画像取得終了フラグがセットされていない場合には、このＨＤＤアクセス処理を終了する。
【０１２４】
続いて、図１０は、図９のステップＳ１０１におけるバッテリチェック処理を示すフローチャートである。このバッテリチェック処理について、図２を参照しながら説明する。
【０１２５】
システム制御部２０は、上述したように図示しないＡ／Ｄ変換器を備えており、このＡ／Ｄ変換器により、ＨＤＤ２５を起動した直後のシーク動作中における電池電圧を検出する（ステップＳ１２１）。
【０１２６】
そしてシステム制御部２０は、ステップＳ１２１において検出したシーク動作中の電池電圧を、予め定められた判定電圧と比較することにより、ＨＤＤアクセスの可否を判定する（ステップＳ１２２）。ここに、予め定められた判定電圧は、該シーク動作時に比して消費電流が大きくなる書き込み動作時、または読み出し動作時においても、必要な電池電圧を確保することができると予測して設定された電圧となっている。なお、判定電圧は、書き込み動作時と読み出し動作時とで必要に応じて異なる値を設定しても良い。
【０１２７】
このステップＳ１２２において、シーク動作中の電池電圧が判定電圧よりも低いと判定された場合には、ＮＧフラグをセットし（ステップＳ１２３）、その後のＨＤＤ２５への書き込みおよび読み出し動作を行わないようにして、図９に示した処理に復帰する。
【０１２８】
一方、ステップＳ１２２において、シーク動作中の電池電圧が判定電圧よりも高いと判定された場合には、ＮＧフラグをリセットする（ステップＳ１２４）。次に、画像データ一時待避フラグがセットされているか否か、すなわち不揮発性メモリ２２に一時待避されたデータがあるか否かを判定する（ステップＳ１２５）。このステップＳ１２５において、画像データ一時待避フラグがセットされていなかった場合には、本ルーチンを終了する。
【０１２９】
ステップＳ１２５において、画像データ一時待避フラグがセットされていた場合、つまり、不揮発性メモリ２２に一時待避されたデータがある場合には、不揮発性メモリ２２に一時待避されているデータをＨＤＤ２５の所定の画像領域に書き込み（ステップＳ１２６）、その後画像データ一時待避フラグをリセットして（ステップＳ１２７）、本ルーチンを終了し、図９に示した処理に復帰する。
【０１３０】
次に、図１１から図１３を参照して、音声記録再生装置３１の外観に現れる構成と、録音時における画像取得の様子について説明する。図１１は音声記録再生装置を手で保持している様子を示す正面図、図１２は音声記録再生装置の構成を示す平面図、図１３は音声記録再生装置により画像を取得している様子を示す正面図である。
【０１３１】
図１２に示すように、音声記録再生装置３１の上面には、左から右へ向かって順に、マイクロフォン孔３６と、撮像レンズ３７と、マイクジャック３８と、イヤフォンジャック３９と、がそれぞれ配設されている。
【０１３２】
上記マイクロフォン孔３６の直下には図２に示したマイクロフォン１５が、上記撮像レンズ３７の直下には図２に示した撮像素子１１が、ぞれぞれ配設されている。
【０１３３】
また、音声記録再生装置３１の左側面には、録音動作を指示入力するための押圧ボタンスイッチでなる録音スイッチ（ＲＥＣ）３２が配設されている。
【０１３４】
また、音声記録再生装置３１の正面には、上部に表示部３３（図２の表示部１９（あるいは、これにさらに加えて画像表示部１４）に対応する）が、そのすぐ下側にレリーズスイッチ（ＲＥＬ）３４（上述した１ｓｔレリーズスイッチおよび２ｎｄレリーズスイッチに対応する。）が、さらに、下部にスピーカ孔３５が、それぞれ設けられている。これらの内のスピーカ孔３５の直下には、図２に示したスピーカ１８が配設されている。
【０１３５】
なお、その他の操作スイッチについては特に図示していないが、これらその他の操作スイッチは、操作を容易に行うことができるように、音声記録再生装置３１の正面や側面などの適宜の位置に配設されている。
【０１３６】
次に、このような音声記録再生装置を使用するときの様子について説明する。
【０１３７】
まず、音声記録再生装置３１の録音スイッチ３２をオンにすると、録音が開始される。このとき、表示部３３には録音開始初期の表示が現れ、録音動作状態であることを操作者に告知する。例えば、この状態において、図１３に示すように、音声記録再生装置３１の上面を口述者４１へ向けてレリーズスイッチ（ＲＥＬ）３４をオンすると、口述者４１の画像を取得することができる。このような画像取得は、レリーズスイッチ（ＲＥＬ）３４をオンする毎に行われる。従って、複数の口達者を相手にするインタビュー等においても、口述内容に対応する口述者毎の画像を確実に記録することが可能となる。
【０１３８】
このとき、画像をより確実に記録することができるように、レリーズスイッチ（ＲＥＬ）３４がオンされてからしばらくの間は、撮像レンズ３７により捕捉している画像を表示部３３にモニタ表示し、操作者が被写体のフレーミングを決定した後に再びレリーズスイッチ（ＲＥＬ）３４をオンしたところで、画像取得が実行されるようにしても良い。
【０１３９】
このような実施形態１によれば、ＨＤＤへのアクセスを行う前に、バッテリチェックを行い、バッテリの残り容量が十分でない場合には、その後に電圧が回復するまで、ＨＤＤアクセスを伴う処理を禁止するようにしたために、電圧低下に伴ってＨＤＤ（あるいはＨＤＤ上のデータ）が不用意に損傷してしまうことはない。
【０１４０】
そして、バッテリ電圧が低下しているときであっても、画像を取得処理中である場合には、取得している画像を不揮発性メモリに書き込むようにしたために、取得中の画像データが失われることはない。
【０１４１】
こうして、撮影動作中にバッテリ残量が低下するなどによりＨＤＤへの書き込みができない場合でも、撮影直後の画像データを消失することなく確実に記憶しておくことができるために、無駄なく記録動作を行いたい場合に非常に有効となる。
【０１４２】
なお、本発明は上述した実施形態に限定されるものではなく、発明の主旨を逸脱しない範囲内において種々の変形や応用が可能であることは勿論である。
【産業上の利用可能性】
【０１４３】
本発明は、音声信号または画像信号を記憶して再生し得る記録再生装置に好適に利用することができる。
【図面の簡単な説明】
【０１４４】
【図１】本発明の実施形態１における音声記録再生装置の構成の概略を示すブロック図。
【図２】上記実施形態１における音声記録再生装置の構成を示すブロック図。
【図３】上記実施形態１における音声記録再生装置のメイン動作を示すフローチャート。
【図４】上記実施形態１において、ＨＤＤに設けられた音声データ領域とインデックス情報領域との構成を示す図。
【図５】上記図３のステップＳ１２における録音処理を示すフローチャート。
【図６】上記図５に示したステップＳ４０の画像取得処理を示すフローチャート。
【図７】上記図３のステップＳ１３における再生処理を示すフローチャート。
【図８】上記図７のステップＳ７２における画像再生処理を示すフローチャート。
【図９】上記実施形態１におけるＨＤＤアクセス処理を示すフローチャート。
【図１０】上記図９のステップＳ１０１におけるバッテリチェック処理を示すフローチャート。
【図１１】上記実施形態１の音声記録再生装置を手で保持している様子を示す正面図。
【図１２】上記実施形態１における音声記録再生装置の構成を示す平面図。
【図１３】上記実施形態１の音声記録再生装置により画像を取得している様子を示す正面図。
【符号の説明】
【０１４５】
１…符号化手段
２…記憶手段
３…復号化手段
４…音声再生部
５…第１選択手段
６…制御手段
７…第２選択手段
８…画像再生部
９…スイッチ操作部
１１…撮像素子
１２…画像入力部（符号化手段）
１３…画像再生部（復号化手段、画像再生部）
１４…画像表示部（画像再生部）
１５…マイクロフォン
１６…音声入力部（符号化手段）
１７…音声再生部（復号化手段、音声再生部）
１８…スピーカ（音声再生部）
１９…表示部
２０…システム制御部（制御手段、起動手段、バッテリチェック手段、禁止手段、第１選択手段、第２選択手段）
２１…操作部（スイッチ操作部）
２２…不揮発性メモリ（所定の記録媒体、記憶手段）
２３…揮発性メモリ（記憶手段）
２４…デジタル信号処理部（符号化手段、復号化手段）
２５…ＨＤＤ（記憶手段）
３１…音声記録再生装置
３２…録音スイッチ
３３…表示部
３４…レリーズスイッチ
３５…スピーカ孔
３６…マイクロフォン孔
３７…撮像レンズ
３８…マイクジャック
３９…イヤフォンジャック
４１…口述者
代理人    弁理士      伊    藤      進
【図１】
2006221755.tif 000003
【図２】
2006221755.tif 000004
【図３】
2006221755.tif 000005
【図４】
2006221755.tif 000006
【図５】
2006221755.tif 000007
【図６】
2006221755.tif 000008
【図７】
2006221755.tif 000009
【図８】
2006221755.tif 000010
【図９】
2006221755.tif 000011
【図１０】
2006221755.tif 000012
【図１１】
2006221755.tif 000013
【図１２】
2006221755.tif 000014
【図１３】
2006221755.tif 000015